(57)【要約】【課題】反復使用が可能で、保管や運搬に適したコンクリート打設工事用の樹脂製桟木を提供する。【解決手段】桟木１は、中心板２の幅方向両側に、それぞれ凹部３を間においてリブ部４を複数連続的に突設し、前記各リブ部４と前記各凹部３は、互いに嵌合しうる形状となし、かつ、一方側の各リブ部４が他方側の各凹部３にそれぞれ対応位置するように配置し、前記各リブ部４には、高さ方向に貫通部５を形成するとともに、所定のリブ部４の頂部には、貫通部５外側に向いて傾斜する固定用透孔６を設ける。樹脂製なので繰り返し使用可能であるうえ、複数本積み重ねるときに、下の桟木１の凹部３に上の桟木１のリブ部４を、下の桟木１のリブ部４に上の桟木１の凹部３をそれぞれ嵌合するので、かさばらないだけでなく、崩れにくく、保管や運搬に便利である。【選択図】        図２
2005163358.tif 000002
【特許請求の範囲】
【請求項１】
中心板の表裏両面側に、それぞれ凹部を間においてリブ部を複数連続的に突設し、前記各リブ部と前記各凹部は、互いに嵌合しうる形状となし、かつ、一方側の各リブ部が他方側の各凹部にそれぞれ対応位置するように配置し、前記各リブ部には、前記中心板の幅方向に貫通する貫通部を形成するとともに、所定のリブ部の頂部には、貫通部の一方の開口側に向いて傾斜する固定用透孔を設けたコンクリート打設工事用の樹脂製桟木。
【請求項２】
中心板の長手方向両端に、雄雌状に対となる前記中心板幅方向中央を境とする段部を形成し、この段部の雄部分には、前記中心板幅方向に貫通する連結用透孔を設けたことを特徴とする請求項１に記載のコンクリート打設工事用の樹脂製桟木。
【発明の詳細な説明】
【技術分野】
【０００１】
本発明は、ビルなどの建設現場におけるコンクリート打設時に、その外側から型枠板を補強するための桟木に係り、特に、樹脂製桟木に関するものである。
【背景技術】
【０００２】
従来の一般的なコンクリート打設工事用の桟木は、木製の角材を用い、使用後は廃材として焼却などの処理を行っていた。なお、一度の使用で廃棄せずに再利用する場合もあるが、木材であるため破損しやすく、２〜３回の再利用後は廃棄せざるをえなかった。
【特許文献１】特開２００２−１０６１６９号公報
【発明の開示】
【発明が解決しようとする課題】
【０００３】
上記従来の桟木は、使用後に廃棄処分をするので、木材を大量に消費することになり、木材資源の無駄遣いとなる、という問題があった。本発明は、この問題を解消することを課題とし、該課題を解決した建設工事用の樹脂製桟木を提供することを目的とする。
【課題を解決するための手段】
【０００４】
上記目的を達成するために、請求項１に記載した本発明は、中心板の表裏両面側に、それぞれ凹部を間においてリブ部を複数連続的に突設し、前記各リブ部と前記各凹部は、互いに嵌合しうる形状となし、かつ、一方側の各リブ部が他方側の各凹部にそれぞれ対応位置するように配置し、前記各リブ部には、前記中心板の幅方向に貫通する貫通部を形成するとともに、所定のリブ部の頂部には、貫通部の一方の開口側に向いて傾斜する固定用透孔を設けたものである。
【０００５】
また、請求項２に記載の本発明は、請求項１に記載の発明の構成に加えて、中心板の長手方向両端に、雄雌状に対となる前記中心板幅方向中央を境とする段部を形成し、この段部の雄部分には、前記中心板幅方向に貫通する連結用透孔を設けたことを特徴とするものである。
【発明の効果】
【０００６】
以上説明したように、請求項１に記載の本発明によれば、丈夫な樹脂製なので、反復して使用することができ、木材資源のむだづかいを防止することができるうえ、複数本積み重ねるときに、下の桟木の凹部に上の桟木のリブ部を、また、下の桟木のリブ部に上の桟木１の凹部をそれぞれ嵌合するので、かさばらないだけでなく、崩れにくく、保管や運搬に便利であるという効果を奏する。
【０００７】
また、請求項２に記載の本発明によれば、請求項１に記載の発明の効果に加えて、複数の桟木を連結ボルトを用いて連結することが容易なので、型枠板の大きさに合わせて長い桟木を構成することができるという効果を奏する。
【発明を実施するための最良の形態】
【０００８】
次に、本発明の好適な実施形態を添付図面の図１〜図４に基いて詳細に説明する。ここにおいて、図１は連結状態における平面図、図２は同じく連結状態における正面図、図３は使用状態を示す正面図、図４は拡大縦断側面図である。
【０００９】
図１〜図４に示すように、桟木１は、合成樹脂の一体成形によって形成するものであり、中心板２の表裏両面側に、それぞれ凹部３を間において断面がほぼ台形状のリブ部４を複数連続的に突設する。前記各リブ部４と前記各凹部３は、互いに嵌合しうる形状となし、かつ、一方側の各リブ部４が他方側の各凹部３にそれぞれ対応位置するように配置し、前記各リブ部４には、前記中心板２の幅方向に貫通する貫通部５を形成するとともに、所定のリブ部４の頂部には、貫通部５の一方の開口側に向いて傾斜する固定用透孔６を設ける。
【００１０】
図３及び図４に示すように、固定用透孔６には、固定用釘６ａを挿し込むと、該固定用釘６ａ先端が貫通部５の外側に突出し、型枠７に打ち込むことができるように構成してある。また、前記貫通部５は、各リブ部４の重量を軽減して桟木１全体を軽量化するはたらきもある。
【００１１】
図１〜図３に示すように、上記桟木１の長手方向両端には、幅方向中央を境とする段部８を形成し、この段部８の雄部分８ａに、幅方向に貫通する連結用透孔９を設ける。そして、二本の桟木１を連結する際には、一方の桟木１の段部８の雄部分８ａを、他方の桟木１の段部８の雄部分８ａが存在しない雌部分に嵌めて互いの連結用透孔９を連通状態となし、連結ボルト１０を挿し込んで連結するものである。なお、図３中、符号１１は型枠板の内側に打設したコンクリートである。また、図１〜図３中、符号１２は桟木１を軽量化するための透孔部である。
【００１２】
以上のように構成した桟木１は、図３に示すように、コンクリートの打設に際し、型枠板７の大きさに合わせた長さとなるように、単数本あるいは複数本連結し、型枠板７の外側に縦に固定する。前記連結にあたっては、一方の桟木１の段部８の突出部８ａを、他方の桟木１の段部８の突出部８ａが存在しない雌部分に嵌めて互いの連結用透孔９を連通させ、連結ボルト１０を挿し込む。また、型枠板７に固定するには、各固定用透孔５に固定釘６を挿し込み、先端を斜めに型枠板７に打ち込む。
【００１３】
また、図２に示すように、桟木１は、複数本積み重ねるときに、下の桟木１の凹部３に上の桟木１のリブ部４を、さらに、下の桟木１のリブ部４に上の桟木１の凹部３をそれぞれ嵌合するので、かさばらないだけでなく、崩れにくく、保管や運搬に便利であるという利点がある。
【００１４】
なお、本発明は、上記実施形態になんら限定されるものではなく、例えば、リブ部４の形状は、上記実施形態のような台形ではなく、四角形あるいは円形であってもよい。
【図面の簡単な説明】
【００１５】
【図１】連結状態における平面図。
【図２】同じく連結状態における正面図。
【図３】使用状態を示す正面図。
【図４】拡大縦断側面図。
【符号の説明】
【００１６】
１    桟木
２    中心板
３    凹部
４    リブ部
５    貫通部
６    固定用透孔
６ａ    固定釘
７    型枠
８    段部
８ａ    雄部分
９    連結用透孔
１０    連結ボルト
１１    コンクリート
【図１】
2005163358.tif 000003
【図２】
2005163358.tif 000004
【図３】
2005163358.tif 000005
【図４】
2005163358.tif 000006